(57)【特許請求の範囲】
【請求項１】
把持棒と持手部とレール切断部とを備え、持手部は、把持棒の先端上部から上方に突出して設けてあり、レール切断部は、把持棒の先端下部から下方に突出して設けたものであり、下枠上面から突出するレールの長手方向に幅広で且つレールをまたぐ間隔をあけて向き合う室内側を向く刃先と室外側を向く刃先とからなる一組の刃先と、下枠上面に載せる載置部とを有するものであり、一組の刃先は、水平回転したときに室内側を向く刃先のレール長手方向の一方側端部がレールの室外側見付面に当接すると共に、室外側を向く刃先のレール長手方向の他端部がレールの室内側見付面に当接することを特徴とするレールカット具。
【請求項２】
持手部は、垂直軸回りに回転自在となるものであることを特徴とする請求項１記載のレールカット具。
【発明の詳細な説明】
【技術分野】
【０００１】
本発明は、おもにサッシのレールを切断するときに用いる治具に関するものである。
【背景技術】
【０００２】
サッシの取り替えを行う際、既存のサッシ枠を取り外すことなく、既存のものに新しいサッシ枠を取付ける場合があり、このように既存のサッシ枠の上に新たなサッシ枠を取付けるときには、既存のサッシ枠のレールを切除する必要がある。既存のサッシ枠のレールの切断作業は従来、サンダーあるいは鏨とハンマーなどを用いて行われていた。しかしながらサンダーを用いて切断する場合、切断時の騒音や粉塵の発生があるとともに作業時の安全性も悪く、一方、鏨とハンマーを用いて切断する場合には作業の進捗は作業者の熟練度により大きく左右し、たとえ熟練者であってもレールを１メートル切断するのに３０分以上要してしまうことから作業効率が非常に悪く、しかもハンマーで鏨を叩きながらレールを切断するものであるから、耳障りな騒音を伴うものであった。
【特許文献１】特開２００３−３４０６３６号公報
【発明の開示】
【発明が解決しようとする課題】
【０００３】
そこで特許文献１に開示されるようなレールカット具があったが、一組の刃先において、一方の刃先がレールの室外側見付面に、他方の刃先が室内側見付面に対峙するように形成してあるものの、刃先が上下に延びる円柱状であるため、レールの室外側見付面と室内側見付面に対してはそれぞれ点で当たるので、切断するというよりは二つの刃先の間にレールを挟んで引きちぎるような作業状態となり、このことから、１回の操作の切り込みが少ないことに加えて切り残しが生じるものであった。
【０００４】
本発明は以上に述べたような実情に鑑み、作業が効率よく容易に行えるとともに、切り残しのないレールカット具の提供を目的とする。
【課題を解決するための手段】
【０００５】
本発明のうち請求項１記載の発明は、把持棒と持手部とレール切断部とを備え、把持棒は、持手部は、把持棒の先端上部から上方に突出して設けてあり、レール切断部は、把持棒の先端下部から下方に突出して設けたものであり、下枠上面から突出するレールの長手方向に幅広で且つレールをまたぐ間隔をあけて向き合う室内側を向く刃先と室外側を向く刃先とからなる一組の刃先と、下枠上面に載せる載置部とを有するものであり、一組の刃先は、水平回転したときに室内側を向く刃先のレール長手方向の一方側端部がレールの室外側見付面に当接すると共に、室外側を向く刃先のレール長手方向の他端部がレールの室内側見付面に当接することを特徴とするレールカット具。
【０００６】
本発明のうち請求項２記載の発明では、持手部は、垂直軸回りに回転自在となるものであることを特徴とする。
【発明の効果】
【０００７】
本発明の請求項１記載の発明によれば、刃先がレールの長手方向に幅広であるとともに、刃先および把持棒の先端上部には上方に突出した持手部を取り付けてあるため、使用者は、一方の手で持手部を握りながら他方の手で把持棒を安定して水平方向に回動操作できるとともに、持手部によりレール切断部の下端部をレールが起立する被切り込み材（下枠）に正確に当接できる。一方、レールを切断するときには、室外側と室内側の一組の刃先がレール長手方向に幅広であることによって、レールの室外側見付面と室内側見付面に対して切断範囲を長くすることができ、作業性がよく、一組の刃先をレールの室外側見付面と室内側見付面に対し、てこの作用により軽い力で切り込み方向に切断できることからレールの切断が容易に行え、レールの室外側見付面と室内側見付面の同一の高さ位置にそれぞれ切り込みを入れられるので、作業後のレールの切り残しも解消される。レール切断部に下枠の上面に載せられる載置部を有することで、持手部にて本レールカット具を下枠の上面に押し当てたときに安定し、レールが一層切断しやすくなる。レール長手方向に幅広な一組の刃先を有することで、レールの切り込み方向を変えたり、また、左右どちらの方向に水平回転してもレールの切断が行えるので、使いやすいレールカット具を提供できる。レール切断部は、把持棒の先端下部から下方に突出して設けたので、作業者が室内外いずれの側に身体を置いてもレールの切断を行えるようになる。
【０００８】
本発明の請求項２記載の発明によれば、持手部が垂直軸回りに回転することで、把持棒の操作をより軽い力で行えることから、レールの切断が一層容易になる。
【発明を実施するための最良の形態】
【０００９】
以下、本発明のレールカット具の実施形態を図面に基づいて説明する。図１から図５は、本発明のレールカット具の実施形態を示している。このレールカット具は図１および図４（ａ）（ｂ）（ｃ）（ｄ）に示すように、下枠ＵのレールＬの室外側見付面Ｐと室内側見付面Ｑに対峙する一組の刃先１２ａ,１２ｂを有するレール切断部２ａ，２ｂを、一方の手ＲＨで持手部（回転体５）３を握りながら他方の手ＬＨで把持棒１を水平方向に回動操作し、てこの作用でレールＬの室外側見付面Ｐまたは室内側見付面Ｑに順次切り込みを入れて切断するものである。以下、本レールカット具の構造や使用手順について説明する。尚、本発明のレールカット具は使用場所を限定するものではないが、本実施形態では便宜上、方向を「室内側」、「室外側」に定めるものである。
【００１０】
レール切断部２ａ，２ｂは図３（ａ）（ｂ）のように、室外側と室内側に分割可能な一対形状のブロックを配して構成するものであり、レールＬの室外側見付面Ｐと室内側見付面Ｑとに対峙する位置にあって図３（ａ）に示すように、レール切断部２ａ，２ｂのブロックの下端部には、レールＬの長手方向に幅広な室内側を向く刃先１２ａと室外側を向く刃先１２ｂを向き合わせて設けており、室内側を向く刃先１２ａと室外側を向く刃先１２ｂとの間にはレールＬを飲み込むことのできる間隔を設ける一方、ブロックの下端面には下枠Ｕの上面に載せる載置部Ｔを有している。更に詳しくは、レール切断部２ａ，２ｂのブロックの下部位置には切欠１５ａ，１５ｂを有しており、切欠１５ａ，１５ｂは、レール切断部２ａ，２ｂのブロック同士を合わせた際に連通する挿通孔８に固定ピン７を通して結合したときに、レール切断部２ａ，２ｂの下部位置に、切欠１５ａ，１５ｂの組み合わせによるレールＬの飲み込み可能な深さ、および室内側を向く刃先１２ａおよび室外側を向く刃先１２ｂとレールＬとの間に間隔をあけられる程度の幅を有した凹部Ｄを形成する。図３（ａ）のように、レール切断部２ａ，２ｂの凹部ＤをレールＬに対して上方から被せて飲み込ませると、レール切断部２ａ，２ｂの載置部Ｔが下枠Ｕの上面に当接するとともに、室内側を向く刃先１２ａおよび室外側を向く刃先１２ｂは、レールＬのレール長手方向に幅広に形成してあることで、レールＬの室外側見付面Ｐと室内側見付面Ｑに対して切断範囲を長くした状態で対峙することになる。尚、本実施形態のレール切断部２ａ，２ｂは、一対のブロックからなっているが、これは刃先１２ａ，１２ｂ破損時の交換などを想定しているためであり、一体に形成したものであってもよい。レール切断部２ａ,２ｂは、載置部Ｔから把持棒１との取付部位までの長さを下枠Ｕの立ち上がり部１８よりも長く形成することにより、図７（ａ）（ｂ）に示すように、作業者が室内側からレールを切断することもでき、また例えば、溝内に設けたレールの切断に対しても対応できる。
【００１１】
把持棒１は図２（ａ）（ｂ）のように、断面形状が丸く且つ手で持ちやすく形成した棒材であり、把持棒１の先端には、上下の端面が扁平なブロック（以下、把持棒支持ブロックと記す）１３を取り付けており、把持棒支持ブロック１３は、上下に分割形成してあるとともに、ブロック同士が当接する側に半円形状の切欠を有しており、上下のブロックを合わせたときに切欠による丸孔を形成する。把持棒１と把持棒支持ブロック１３との取付状態は、把持棒１の先端に、把持棒１の長手方向に沿って突出した突出部１４を有しており、突出部１４を把持棒支持ブロック１３の丸孔に差し込んで溶接している。把持棒支持ブロック１３の下端面には、レール切断部２ａ，２ｂを取り付けるものであり、把持棒支持ブロック１３とレール切断部２ａ，２ｂとを上下に合わせたときに、把持棒支持ブロック１３とレール切断部２ａ，２ｂの挿通孔１０が連通し、上下に連通した挿通孔１０に固定ピン９を差し込んで固定している。尚、本実施形態の把持棒支持ブロック１３は、上下に分割形成しているが一体に形成したものであってもよく、また把持棒１との取付についても溶接以外にネジ式に脱着できるものや、貫通孔を設けて固定ピンで固定してもよい。
【００１２】
持手部３は、把持棒支持ブロック１３の上端面から起立する芯部４を有するとともに、芯部４の上側から起立し且つ芯部４よりも径の太い丸棒状の回転体５を有するものであり、芯部４は、垂直方向の軸を中心とする筒部材１７と、筒部材１７に挿通する軸ピン６ａと、軸ピン６ａに羅合するナット６ｂを有し、筒部材１７は、把持棒支持ブロック１３を上下に貫く貫通孔に抜け出しが不能な状態で差し込んでおり、筒部材１７の上側の筒孔にはヘッドの外周縁が張り出した軸ピン６ａを差し込んでいる。軸ピン６ａのヘッドは、回転体５内部の下側に設けてあるヘッドと同形状の穴に収まっており、これにより回転体５がヘッドから抜け出さないように形成してある。一方、筒部材１７の下側の筒孔からは軸ピン６ａの先端が突き出し、軸ピン６ａの先端にはナット６ｂを羅合して筒部材１７の上側の筒孔からの軸ピン６ａの抜け出しを防いでいる。このように形成すると、軸ピン６ａのヘッドが回転体５を把持棒支持ブロック１３の上端面から離脱不能に取付できるとともに、芯部４（筒部材１７、軸ピン６ａ、ナット６ｂ）を軸として回転体５を自在に回転できるようになる。尚、本実施形態では、芯部４として筒部材１７の筒孔に軸ピン６ａを挿通したものについて説明したが、芯部４を軸ピン６ａとナット６ｂのみで形成したものでもよい。
【００１３】
本発明のレールカット具の使用手順について説明すると図１および図４（ａ）（ｂ）（ｃ）（ｄ）に示すように、まず本レールカット具を図４（ａ）のように、一方の手ＲＨで回転体５を握り、他方の手ＬＨで把持棒１を握り、持手部（回転体５）３にてレール切断部２ａ，２ｂの載置部Ｔを下枠Ｕの上面に押し当てるとともに、室内側を向く刃先１２ａと室外側を向く刃先１２ｂの間にレールＬをまたぐようしてレールＬをレール切断部２ａ，２ｂの凹部Ｄに飲み込ませる（図１もあわせて参照）。次に図４（ｂ）のように、一方の手ＲＨで回転体５を握って上方から押さえつけながら、室内側を向く刃先１２ａのレール長手方向の切り込み方向側の端部（室内側を向く刃先のレール長手方向の端部）Ｊを支点として当接し、把持棒１を切り込み方向に水平回転することで、室外側を向く刃先１２ｂのレール長手方向の切り込み方向反対側の端部（室外側を向く刃先のレール長手方向の他端部）ＷがレールＬの室内側見付面Ｑに当接して食い込み、これによりレールＬの室内側見付面Ｑに切り込みが入れられるとともに、切り込み済みレールＬｅが室外側を向く刃先１２ｂに押されながら室外側に折れ曲がる。これによりレールＬの室内側見付面Ｑには室外側を向く刃先１２ｂの幅の約半分の長さの切り込みが入る。次に図４（ｃ）のように、前述の図４（ｂ）のときに切り込み方向に、刃先１２ａ，１２ｂから離れた側の棒先が位置している把持棒１を切り込み方向と反対側の戻す方向に水平回転することで、室外側に曲がった状態にある切り込み済みレールＬｅを元の一直線状となるように戻す。続いてレールＬを切断するときは図４（ｄ）のように、持手部（回転体５）３を操作して室外側を向く刃先１２ｂをレールＬの切り込みの入っていない箇所まで切り込み方向に移動し、ふたたび図４（ａ）乃至図４（ｃ）の操作を繰り返すことにより連続したレールＬの切断が行えるようになる。尚、室外側を向く刃先１２ｂによるレールＬの切断手順と同様の要領で、室内側を向く刃先１２ａによるレールＬの室外側見付面Ｐへの切り込みを行うこともできる。これにより室内側を向く刃先１２ａと室外側を向く刃先１２ｂとが対峙した配置関係にあることで、室内側を向く刃先１２ａの切り込み位置は、室外側を向く刃先１２ｂで室内側見付面Ｑに切り込みを入れた箇所とレールＬを挟んで一致するので、そのままレールＬの長手方向（室外側を向く刃先１２ｂによる切り込み方向とは反対方向へ）に沿って室内側を向く刃先１２ａで切り込みを入れていくことにより、レールＬの室外側見付面Ｐと室内側見付面Ｑの高さ位置の一致する箇所の両側に切り込みが入るので、切り残しのないレールＬの切断を行える。
【００１４】
本発明のレールカット具は、レール切断部２ａ，２ｂの凹部Ｄを有する側とは反対面の下端部に、下方に向かって狭まるテーパ（絞り部）１１ａ，１１ｂを有しており、このテーパ１１ａ、１１ｂによって図５に示すように、通常はこの種のレールカット具を差し入れることが困難な狭い箇所に設けられたレールＬの切断を行えるようになる。一方、レール切断部２ａ，２ｂのブロックの平面視したすべての角部においてもテーパ（面取り部）１１ｃ，１１ｄ，１１ｅ，１１ｆを有しており、これにより狭い場所であってもレールＬを切断するときに、持手部（芯部４）３を軸の中心としてレール切断部２ａ，２ｂおよび室内側を向く刃先１２ａと室外側を向く刃先１２ｂを水平回転させることができる。本実施形態では、持手部３について、垂直に起立する芯部４により回転体５が垂直軸回りに回転自在となるものを示したが、図６（ａ）に示すように、持手部３が把持棒支持ブロック１３やレール切断部２ａ，２ｂに対して溶接などで回転することなく不動状態に固定したものであってもよく、持手部（回転体５）３の形態についても例えば図６（ｂ）のような指入れ孔１６を有するものや、あるいは図６（ｃ）のようにグリップハンドルのようなものなどであってもよく、このことから持手部（回転体５）３の取付状態や形状については特に限定するものではない。本実施形態のレール切断部２ａ，２ｂは、室内側を向く刃先１２ａおよび室外側を向く刃先１２ｂを把持棒１から間隔をあけた下側に突設しているが、把持棒１に近い位置に設けてあってもよい。
【図面の簡単な説明】
【００１５】
【図１】本発明のレールカット具の構成および使用状態を示す斜視図である。
【図２（ａ）（ｂ）】（ａ）は、本発明のレールカット具の全体を正面視して示す図であり、（ｂ）は、室外側から側面視して示す図である。
【図３（ａ）（ｂ）】（ａ）は図１のＡ−Ａ線縦断面図であり、（ｂ）は図１のＢ−Ｂ線縦断面図である。
【図４（ａ）（ｂ）（ｃ）（ｄ）】（ａ）と（ｂ）と（ｃ）と（ｄ）は、本発明のレールカット具の使用手順を平面視した説明図である。
【図５（ａ）（ｂ）】（ａ）は、本発明のレールカット具の使用の一例を示す縦断面図であり、（ｂ）は、図５（ａ）の横断面図である。
【図６（ａ）（ｂ）（ｃ）】（ａ）と（ｂ）と（ｃ）は、本発明のレールカット具の持手部（回転体）の他の実施形態を示す縦断面図である。
【図７（ａ）（ｂ）】（ａ）は、本発明のレールカット具を室内側から使用する場合について正面視して示す図であり、（ｂ）は、平面視した図である。
【符号の説明】
【００１６】
１  把持棒
２ａ，２ｂ  レール切断部
３  持手部
１２ａ  室内側を向く刃先
１２ｂ  室外側を向く刃先
Ｊ  室内側を向く刃先の端部
Ｗ  室外側を向く刃先の他端部
Ｌ  レール
Ｐ  室外側見付面
Ｑ  室内側見付面
Ｔ  載置部
Ｕ  下枠
【図１】
0004818759.tif 000002
【図２】
0004818759.tif 000003
【図３】
0004818759.tif 000004
【図４】
0004818759.tif 000005
【図５】
0004818759.tif 000006
【図６】
0004818759.tif 000007
【図７】
0004818759.tif 000008